(57)【要約】    【課題】  大きな気泡による吸光度の誤差を排除した吸光度を求める。    【手段】  制御部７は試薬反応室における複数の地点を計測候補として決定して、前記複数の計測候補に第１発光部３を移動させると共に前記発光命令を与え、さらに、前記各計測候補に第２発光部４を相対的に移動させると共に前記発光命令を与える。演算手段８は第２波長の光の計測吸光度が閾値記憶手段９に記憶された閾値以上の計測地点を対象外計測地点として決定し、前記対象外計測地点以外の対象計測地点における第１波長による計測吸光度に基づき、検査対象液状物の吸光度を求める。【選択図】  図２
2010276443.tif 000002
【特許請求の範囲】
【請求項１】
挿入部に挿入された検査対象液状物を加圧して送り込むことにより、前記挿入部に連結された試薬反応室に前記検査対象液状物を送り込み、前記試薬反応室において前記検査対象液状物を反応させ、反応結果に所定の波長の光を照射して、前記検査対象液状物の吸光度を求める吸光度計測方法であって、
前記試薬反応室内に前記所定の波長の光を照射する主波長照射手段により、複数の計測地点について吸光度を計測し、
前記所定の波長とは異なる波長の光を照射する副波長照射手段により、前記複数の計測地点の吸光度を計測し、
前記副波長照射手段による計測吸光度が所定の閾値以上である計測値の計測地点以外を対象計測地点として決定し、
前記対象計測地点における主波長の平均値を求め、
前記対象計測地点における副波長の平均値を求め、
前記主波長の平均値から前記副波長の平均値を減算した値を吸光度とすること、
を特徴とする吸光度の計測方法。
【請求項２】
試薬反応室で反応した検査対象液状物に所定の波長の光を照射して、前記検査対象液状物の吸光度を求める吸光度計測方法であって、
前記所定の波長光を前記試薬反応室の複数の計測地点について照射して、第１の波長による吸光度を計測し、
前記所定の波長とは異なる波長の光を前記試薬反応室の複数の計測地点について照射して、第２の波長による吸光度を計測し、
前記第２の波長による計測吸光度が所定の閾値以上の計測地点を対象外計測地点として決定し、前記対象外計測地点以外の対象計測地点における前記第１の波長による計測吸光度に基づき、前記検査対象液状物の吸光度を求めること、
を特徴とする吸光度の計測方法。
【請求項３】
計測対象液状物を試薬と反応させる試薬反応室に照射光として、前記計測対象液状物の色素と関連する第１波長の光および、前記第１波長とは異なる第２波長の光を照射する照射手段、
前記試薬反応室を透過した前記第１波長，前記第２波長の光を受光する受光手段、
前記受光手段が受光した光量に基づき、前記試薬反応室における計測対象液状物の吸光度を演算する演算手段、
を備えた吸光度計測装置において、
前記照射手段は、前記第１波長の光を前記試薬反応室における複数の計測地点にて照射するとともに、前記第１波長の光を照射したのと同じ計測地点について前記第２波長の光を照射し、
前記演算手段は、前記第２の波長の光の計測吸光度が所定の閾値以上の計測地点を対象外計測地点として決定し、前記対象外計測地点以外の対象計測地点における前記第１の波長による計測吸光度に基づき、前記検査対象液状物の吸光度を求めること、
を特徴とする吸光度計測装置。
【請求項４】
計測対象液状物を試薬と反応させる試薬反応室に光を照射するとともに、前記試薬反応室を透過した透過光を受光し、前記受光光量に基づき、前記試薬反応室における計測対象液状物の吸光度を求める吸光度計測装置であって、
発光命令が与えられると、前記計測対象液状物の色素と関連する第１波長の光を照射する第１発光部、
発光命令が与えられると、前記第１波長とは異なる第２波長の光を照射する第２発光部、
前記試薬反応室を透過した前記第１波長および前記第２波長の光を受光する受光部、
移動命令が与えられると、前記第１発光部、前記第２発光部、および前記受光部を、前記試薬反応室に対して相対的に移動させる移動手段、
前記発光命令および前記移動命令を与える制御部、
前記受光部の計測値に基づいて吸光度を演算する演算手段、
を備えた吸光度計測装置において、
前記制御部は、前記試薬反応室における複数の地点を計測候補として決定して、前記複数の計測候補に前記第１発光部を移動させると共に前記発光命令を与え、さらに、前記各計測候補に前記第２発光部を相対的に移動させると共に前記発光命令を与え、
前記演算手段は、
前記第２波長の光の計測吸光度の閾値を記憶する閾値記憶手段を備え、
前記各計測候補の地点について前記第１波長および第２波長の計測吸光度をそれぞれ演算し、前記第２波長の光の計測吸光度が前記閾値以上の計測地点を対象外計測地点として決定し、前記対象外計測地点以外の対象計測地点における前記第１波長による計測吸光度に基づき、前記検査対象液状物の吸光度を求めること、
を特徴とする吸光度計測装置。
【請求項５】
光学特性を計測する計測対象物に照射光として、前記計測対象物の色素と関連する第１波長の光および、前記第１波長とは異なる第２波長の光を照射する照射手段、
前記計測対象物を透過した前記第１波長，前記第２波長の光を受光する受光手段、
前記受光手段が受光した光量に基づき、前記計測対象物の光学特性を演算する演算手段、
を備えた光学特性計測装置において、
前記照射手段は、前記第１波長の光を前記計測対象物における複数の計測地点にて照射するとともに、前記第１波長の光を照射したのと同じ計測地点について前記第２波長の光を照射し、
前記演算手段は、前記第２の波長の光の光量が所定の閾値以上の計測地点を対象外計測地点として決定し、前記対象外計測地点以外の対象計測地点における前記第１の波長による光量に基づき、前記検査対象物の光学特性を求めること、
を特徴とする光学特性計測装置。
【発明の詳細な説明】
【技術分野】
【０００１】
この発明は、吸光度計測の補正に関し、特に、気泡による影響の排除に関する。
【背景技術】
【０００２】
特許文献１には、体液成分を検査する検査器具２００が開示されている。図１に、かかる検査器具２００の断面図を示す。検査器具２００においては、検体Ａを検体供給口２１１に供給して、栓体２０５を手指操作で押圧して前記供給口内の検体Ａを加圧することにより、この検体を検体供給口２１１から流路２８１，２０８、２８３を介して、測定室２０７に移送する。測定室２０７には、試薬が配置されており、かかる試薬と検体Ａを反応させ、反応後の色を測定する。
【先行技術文献】
【特許文献】
【０００３】
【特許文献１】WO/2009/034649号公報
【発明の概要】
【発明が解決しようとする課題】
【０００４】
しかしながら、特許文献１には以下のような問題があった。測定室２０７に気泡が混在した場合、正確な吸光度を計測することができない。微小な気泡の場合、照射光の散乱により透過光量が減少し、大きな気泡が存在する場合には、その部分で光が透過し、全体として透過光量が増加するからである。
【０００５】
この発明は、上記の問題点を解決して、吸光度の計測について気泡による影響を排除できる吸光度計測装置またはその方法を提供することを目的とする。
【課題を解決するための手段】
【０００６】
(1)本発明にかかる吸光度の計測方法は、挿入部に挿入された検査対象液状物を加圧して送り込むことにより、前記挿入部に連結された試薬反応室に前記検査対象液状物を送り込み、前記試薬反応室において前記検査対象液状物を反応させ、反応結果に所定の波長の光を照射して、前記検査対象液状物の吸光度を求める吸光度計測方法であって、前記試薬反応室内に前記所定の波長の光を照射する主波長照射手段により、複数の計測地点について吸光度を計測し、前記所定の波長とは異なる波長の光を照射する副波長照射手段により、前記複数の計測地点の吸光度を計測し、前記副波長照射手段による計測吸光度が所定の閾値以上である計測値の計測地点以外を対象計測地点として決定し、前記対象計測地点における主波長の平均値を求め、前記対象計測地点における副波長の平均値を求め、前記主波長の平均値から前記副波長の平均値を減算した値を吸光度とする。
【０００７】
このように、前記副波長照射手段による計測吸光度が所定の閾値以上である計測値の計測地点以外を対象計測地点として決定し、前記対象計測地点における主波長の平均値を求め、前記対象計測地点における副波長の平均値を求め、前記主波長の平均値から前記副波長の平均値を減算した値を吸光度副波長によって、大きな気泡および小さな気泡の双方による影響を排除することができる。これにより、正確な吸光度を計測することができる。
【０００８】
(2)本発明にかかる吸光度の計測方法は、試薬反応室で反応した検査対象液状物に所定の波長の光を照射して、前記検査対象液状物の吸光度を求める吸光度計測方法であって、前記所定の波長光を前記試薬反応室の複数の計測地点について照射して、第１の波長による吸光度を計測し、前記所定の波長とは異なる波長の光を前記試薬反応室の複数の計測地点について照射して、第２の波長による吸光度を計測し、前記第２の波長による計測吸光度が所定の閾値以上の計測地点を対象外計測地点として決定し、前記対象外計測地点以外の対象計測地点における前記第１の波長による計測吸光度に基づき、前記検査対象液状物の吸光度を求める。
【０００９】
これにより、大きな気泡による影響を排除することができ、正確な吸光度を計測することができる。
【００１０】
(3)本発明にかかる吸光度計測装置は、1)計測対象液状物を試薬と反応させる試薬反応室に照射光として、前記計測対象液状物の色素と関連する第１波長の光および、前記第１波長とは異なる第２波長の光を照射する照射手段、2)前記試薬反応室を透過した前記第１波長，前記第２波長の光を受光する受光手段、3)前記受光手段が受光した光量に基づき、前記試薬反応室における計測対象液状物の吸光度を演算する演算手段を備え、4)前記照射手段は、前記第１波長の光を前記試薬反応室における複数の計測地点にて照射するとともに、前記第１波長の光を照射したのと同じ計測地点について前記第２波長の光を照射し、5)前記演算手段は、前記第２の波長の光の計測吸光度が所定の閾値以上の計測地点を対象外計測地点として決定し、前記対象外計測地点以外の対象計測地点における前記第１の波長による計測吸光度に基づき、前記検査対象液状物の吸光度を求める。
【００１１】
これにより、大きな気泡による影響を排除することができ、正確な吸光度を計測することができる。
【００１２】
(4)本発明にかかる吸光度計測装置は、計測対象液状物を試薬と反応させる試薬反応室に光を照射するとともに、前記試薬反応室を透過した透過光を受光し、前記受光光量に基づき、前記試薬反応室における計測対象液状物の吸光度を求める吸光度計測装置であって、1)発光命令が与えられると、前記計測対象液状物の色素と関連する第１波長の光を照射する第１発光部、2)発光命令が与えられると、前記第１波長とは異なる第２波長の光を照射する第２発光部、3)前記試薬反応室を透過した前記第１波長および前記第２波長の光を受光する受光部、4)移動命令が与えられると、前記第１発光部、前記第２発光部、および前記受光部を、前記試薬反応室に対して相対的に移動させる移動手段、5)前記発光命令および前記移動命令を与える制御部、6)前記受光部の計測値に基づいて吸光度を演算する演算手段を備え、7)前記制御部は、前記試薬反応室における複数の地点を計測候補として決定して、前記複数の計測候補に前記第１発光部を移動させると共に前記発光命令を与え、さらに、前記各計測候補に前記第２発光部を相対的に移動させると共に前記発光命令を与え、8)前記演算手段は、前記第２波長の光の計測吸光度の閾値を記憶する閾値記憶手段を備え、前記各計測候補の地点について前記第１波長および第２波長の計測吸光度をそれぞれ演算し、前記第２波長の光の計測吸光度が前記閾値以上の計測地点を対象外計測地点として決定し、前記対象外計測地点以外の対象計測地点における前記第１波長による計測吸光度に基づき、前記検査対象液状物の吸光度を求める。
【００１３】
これにより、大きな気泡による影響を排除することができ、正確な吸光度を計測することができる。また、発光部および受光部が簡易な構成とすることができる。
【００１４】
(5)本発明にかかる光学特性計測装置は、1)光学特性を計測する計測対象物に照射光として、前記計測対象物の色素と関連する第１波長の光および、前記第１波長とは異なる第２波長の光を照射する照射手段、2)前記計測対象物を透過した前記第１波長，前記第２波長の光を受光する受光手段、3)前記受光手段が受光した光量に基づき、前記計測対象物の光学特性を演算する演算手段、を備えた光学特性計測装置において、4)前記照射手段は、前記第１波長の光を前記計測対象物の複数の計測地点にて照射するとともに、前記第１波長の光を照射したのと同じ計測地点について前記第２波長の光を照射し、5)前記演算手段は、前記第２の波長の光の光量が所定の値以上の計測地点を対象外計測地点として決定し、前記対象外計測地点以外の対象計測地点における前記第１の波長による光量に基づき、前記検査対象物の光学特性を求める。
【００１５】
これにより、前記計測対象物における大きな気泡による影響を排除した光学特性の計測が可能となる。
【００１６】
なお、本明細書において、「計測対象液状物の色素と関連する波長の光」とは、吸収される波長であり、実施形態では、中心波長６３０nmの光が該当する。また、「計測対象液状物の色素と関連する波長以外の波長の光」とは、実施形態では、８１０nmとしたが、この場合、波長は主波長よりも長い方および短い方のいずれでもよい。
【００１７】
また、「第１、第２発光部が走査軸上に配置される」とは、第１、第２発光部の中心がともに走査軸上にある場合はもちろん、多少ずれている場合も含む概念である。
【図面の簡単な説明】
【００１８】
【図１】特許文献１の検査器具２００の構造を説明するための図である。
【図２】この発明の一実施形態による吸光度計測装置１の機能ブロック図である。
【図３】図２に示す吸光度計測装置２０を、ＣＰＵを用いて実現した場合のハードウエア構成である。
【図４】吸光度計測装置２０の外観図（一部）である。
【図５】試薬チップを示す図である。
【図６】吸光度計測装置２０の発光部の構造を示す。
【図７】発光部および受光部のパルス信号を示す。
【図８】ＬＥＤ９１，９２による計測位置の関係を説明する図である。
【図９】演算処理のフローチャートである。
【図１０】計測結果のデータ例である。
【図１１】図１０のデータをグラフに表したものである。
【図１２】気泡を示す図である。
【図１３】補正前後のデータ例である。
【図１４】補正前後のタイムコースを示す図である。
【図１５】他の計測対象の計測結果データである。
【図１６】ＬＥＤの配置パターンを示す図である。
【発明を実施するための形態】
【００１９】
１．機能ブロック図
図２に、この発明の一実施形態による吸光度計測装置１の機能ブロック図を示す。吸光度とは、液体に光を照射したときに透過した光量と照射した光量との比の逆対数である。かかる吸光度は液体の濃度に比例するので、これを利用した分析が可能となる。
【００２０】
吸光度計測装置１は、計測対象液状物を試薬と反応させる試薬反応室に光を照射するとともに、試薬反応室を透過した透過光を受光し、この受光光量に基づき、試薬反応室における計測対象液状物の吸光度を求める吸光度計測装置であり、第１発光部３、第２発光部４、受光部５、移動手段６、制御部７、および演算手段８を備えている。
【００２１】
第１発光部３は発光命令が与えられると、計測対象液状物の色素と関連する第１波長の光を照射する。第２発光部４は発光命令が与えられると、前記第１波長とは異なる第２波長の光を照射する。受光部５は試薬反応室を透過した前記第１波長および前記第２波長の光を受光する。移動手段６は移動命令が与えられると、第１発光部３、第２発光部４、および受光部５を、試薬反応室に対して相対的に移動させる。制御部７は前記試薬反応室における複数の地点を計測候補として決定して、前記複数の計測候補に第１発光部３を移動させると共に前記発光命令を与え、さらに、前記各計測候補に第２発光部４を相対的に移動させると共に前記発光命令を与える。
【００２２】
演算手段８は受光部５の計測値に基づいて吸光度を演算する。詳細としては、第２波長の光の計測吸光度の閾値を記憶する閾値記憶手段９を備えており、前記各計測候補の地点について第１波長および第２波長の計測吸光度をそれぞれ演算し、第２波長の光の計測吸光度が閾値記憶手段９に記憶された閾値以上の計測地点を対象外計測地点として決定し、前記対象外計測地点以外の対象計測地点における第１波長による計測吸光度に基づき、検査対象液状物の吸光度を求める。
【００２３】
このように、第２波長による計測吸光度が前記閾値以上の計測地点を対象外計測地点として決定し、前記対象外計測地点以外の対象計測地点における前記第１波長による計測吸光度に基づき、前記検査対象液状物の吸光度を求める。ここで、第１波長の光は前記計測対象液状物の色素と関連する波長であり、第２波長は、第１波長とは異なる波長の光である。したがって、第２発光部４は発光命令が与えられると、前記第１波長とは異なる第２波長の光を照射する。このように、吸光度を計測するＬＥＤとは波長の異なるＬＥＤで計測することにより、後述するように、大きな気泡による吸光度の誤差を排除した吸光度を求めることができる。
【００２４】
２．ハードウェア構成
つぎに、吸光度計測装置１のハードウェア構成について説明する。図３は、ＣＰＵを用いて構成した吸光度計測装置１のハードウェア構成の一例である。
【００２５】
吸光度計測装置１は、ＣＰＵ２３、ＲＡＭ２７、ＲＯＭ２６、表示部３０、スイッチ部３１、Ｉ／Ｏポート３６およびバスライン２９を備えている。ＣＰＵ２３は、ＲＯＭ２６に記憶された各プログラムにしたがいバスライン２９を介して、各部を制御する。
【００２６】
ＲＯＭ２６は、オペレーティングシステムプログラム（以下ＯＳと略す）２６ｏ、閾値記憶部２６ｈ、メインプログラム２６pを有する。閾値記憶部２６ｈには後述するように、副波長用の閾値が記憶されている。
【００２７】
Ｉ／Ｏポート３６には、計測器４１、計測器４１を走査させる走査機構４５、２次元コードリーダー４３が接続されている。計測器４１は、後述するように、発光部および受光部を有しており、試薬保持部材である試薬チップにおける試薬吸光度を計測する。２次元コードリーダー４３は、試薬チップの２次元コードに記録されたデータを読みとる。スイッチ部３１は、吸光度計測装置１における各種処理の開始等の命令をユーザが入力する入力手段である。計測器４１および２次元コードリーダー４３からのデータは、Ｉ／Ｏポート３６ａを介してＣＰＵ２３に与えられる。
【００２８】
メインプログラム２６pによる処理の詳細については後述する。本実施形態においては、オペレーティングシステムプログラム（ＯＳ）２６ｏとして、μITRON仕様準拠の組み込み用のリアルタイムOSを使用したが、これに限定されるものではない。
【００２９】
図４に吸光度計測装置１の外観図を示す。吸光度計測装置１は、ヒーター５３の上に試薬保持部材である試薬チップ６１が載置される。
【００３０】
試薬チップ６１の構造について、図５を用いて説明する。試薬チップ６１の構造は、反応室が複数ある以外は、特許文献１とほぼ同様である。具体的には、試薬チップ６１は、開口６３に計測対象の血液などが投入され、図示しないキャップで圧力がかけられると、投入された血液は、図示しないフィルタによって血球と血漿に分離される。分離後の血漿は、微細な流路を通して反応室７１〜７８に送り込まれる。反応室には、反応試薬が塗布されており、送り込まれた血漿は腰薬と混和する。反応室７１〜７８は、図４に示す、発光部５７，受光部５５により吸光度が計測できるように透過性を有する素材で構成されている。本実施形態においては、各反応室の寸法として、ｐ３＝１．６ｍｍ、ｐ４＝１．８ｍｍとした。
【００３１】
図４に示す発光部５７について、図６を用いて説明する。発光部５７は、走査軸１４１上に間隔Ｐ２０（本実施形態においてはＰ２０＝０．４ｍｍ）で配置された２つのＬＥＤ９１，９２を有する。ＬＥＤ９１，９２はそれぞれ、中心波長６３０ｎｍ，８１０ｎｍである。
【００３２】
図４に示す発光部５７、受光部５５が固定されたブロック５６は、ラック＆ピニオン５９によって、図４の奥行き方向に走査される。かかるラック＆ピニオン５９はモータ(図示せず）により一定速度でブロック５６が移動するよう制御される。かかるモータは、図３のＣＰＵ２３およびメインプログラムにより制御される。これにより、１組の受光部と発光部とで、８カ所の反応室の吸光度を計測することができる。
【００３３】
試薬チップ６１がヒーター５３(図４参照)の上に載置され、図示しないキャップによって、反応室に送り込まれた後、ＣＰＵ２３は、発光部５７に発光命令を与える。
【００３４】
反応室を通過した光は受光部５５で計測される。受光部で計測された計測値はＣＰＵ２３に与えられ、ＣＰＵ２３は、吸光度を求める。ＣＰＵ２３は、計測した吸光度に基づいて計測結果を表示する。計測結果の表示については従来と同様であるので説明は省略する。
【００３５】
発光タイミングについて図７を用いて説明する。ＣＰＵ２３は、図７Ａに示すように、ＬＥＤ９１に０．５ミリ秒の発光を０．５ミリ秒毎に繰り返すパルスを発光命令として与える。また、ＣＰＵ２３は、ＬＥＤ９２に、図７Ｂに示すように、ＬＥＤ９１と位相が０．５ミリ秒ずれたパルスを発光命令として与える。これにより、図７に示すようにＬＥＤ９１，９２は所定間隔で所定秒間発光する。
【００３６】
反応室を通過した光は受光部５５で計測される。受光部５５が受光する光量を図７Ｃに示す。このように、図５Ａ，Ｂで発光しているタイミングで図５Ｃの１０３の領域では、受光が検出されていない。これは、反応室の外側における発光を示している。本実施形態においては、図５に示すように走査軸１４１方向における１つの反応室の幅は、１．６ｍｍである。ＬＥＤ９１，９２の照射スポット径は、直径０．８ｍｍであり、０．１ｍｍ移動する毎にＬＥＤ９１およびＬＥＤ９２が発光するよう走査速度と発光タイミングが決定されている。したがって、反応室内において、発色の色むらがないとすると、照射スポット径分移動するまで、徐々に受光量が増加する。照射スポットが反応室の幅に全て位置すれば、その受光量で推移し、スポット径が反応室の反対側に位置して外側にかかるようになると、徐々に受光量が減少する。また、反応室の幅が、１．６ｍｍであり、発光する間隔は０．１ｍｍであるので、１のＬＥＤで１つの反応室に対して、約１４の受光を検出することになる。
【００３７】
ＬＥＤ９１，９２は、図７Ａ，Ｂに示すように、前記０．５ミリ秒、発光タイミングがずれている。ＣＰＵ２３は、かかる発光タイミングに基づき、図７Ｄ，Ｅに示すように、受光する光を分配する。これにより、２つのＬＥＤ９１，９２のうちいずれからの照射光に基づく受光であるかを判断できる。
【００３８】
既に述べたように本実施形態においては、ＬＥＤ９１，９２の配置ピッチＰ２０は０．４ｍｍである。また０．１ｍｍ移動する毎にＬＥＤ９１およびＬＥＤ９２が発光する。このように、ＬＥＤ９１，９２とも、配置ピッチの整数分の１倍（この場合、１／４倍）移動させて発光させることにより、ＬＥＤ９１，９２は実質的に同じ地点にて発光する。同じ地点を計測することについて、図８を用いて説明する。図８は０．１ｍｍ間隔で離れた地点Po１〜Po１４に対するＬＥＤ９１，９２の位置関係を示す。地点Po１は反応室内における走査方向の一番手前の位置とする。ＬＥＤ９１が地点Po１に位置するときには、ＬＥＤ９２は、矢印９５とは逆側に０．４ｍｍ離れた地点（図示せず）に位置する。ＬＥＤ９１が地点Po１で発光することにより、Po１におけるＬＥＤ９１の照射光が受光部で計測される。０．５ミリ秒ずれてＬＥＤ９２が発光するが、反応室の幅の外であるので検出されない。ＬＥＤ９１，９２は定速で矢印９５方向に走査されているので、所定時間経過すると地点Po１から０．１ｍｍ離れた地点Po２に移動する。このタイミングで、ＬＥＤ９１が発光する。これにより地点Po２における照射光が受光部で計測される。０．５ミリ秒ずれてＬＥＤ９２が発光するが、反応室の幅の外であるので検出されない。同様にして地点Po３において、ＬＥＤ９１による受光量が計測される。
【００３９】
ＬＥＤ９１が地点Po４に移動するとＬＥＤ９１が発光する。これにより、地点Po４におけるＬＥＤ９１の照射光が受光部で計測される。また、０．５ミリ秒ずれてＬＥＤ９２が発光する。これにより地点Po１におけるＬＥＤ９２の照射光が受光部で計測される。このように、地点Po１においては、ＬＥＤ９１の検出に時系列的に遅れてＬＥＤ９２からの照射光が受光される。このように、発光タイミングする距離を２つのＬＥＤの配置ピッチの整数分の１とし、同地点の計測値を組み合わせて記憶することにより各地点におけるＬＥＤ９１、９２の照射光が受光部で計測できる。
【００４０】
以降、同様にして、地点Po３、Po４・・・・と主波長と副波長による計測が得られる。
【００４１】
なお、ＬＥＤ９１とＬＥＤ９２との発光タイミングには０．５ミリ秒ずれているので、その分だけ計測地点がずれることとなる。たとえば、走査速度が５５ｍｍ／秒である場合には、０．０３ｍｍである。発光のスポット径が０．８ｍｍであるので実質上は、ほとんど影響でない。
【００４２】
３．演算処理
本実施形態においては、既に説明したように、反応室の幅は、１．６ｍｍ、発光する間隔は０．１ｍｍ移動する毎、発光スポット径は０．８ｍｍである。したがって、１の反応室で計測された計測地点のうち、中央の前後９カ所の地点では、発光スポット径がすべて反応室内に位置しているが、それ以外は一部が反応室外に位置することとなる。したがって、本実施形態においては、計測した受光量の変動から、反応室のほぼ中央を決定するとともに、この中央計測値およびその前後４つの計測地点における計測値を加えた計９つの計測地点の受光値から、当該反応質における試薬の吸光度を求めている。
【００４３】
図９を用いて、かかる演算処理について説明する。本実施形態においては、閾値記憶部２６ｈに記憶された値として、「０．１２」を採用したものとする。なお、かかる閾値は、反応室の径、厚みなどによって適切な値を決定すればよい。
【００４４】
また、本実施形態においては、検出対象としてトリグリセリドを採用した。トリグリセリドは中心波長６３０ｎｍの光を用いるので、第１波長（主波長）として中心波長６３０ｎｍのＬＥＤ９１を、第２波長（副波長）として中心波長８１０ｎｍのＬＥＤ９２を選択した。
【００４５】
ＣＰＵ２３は、全ての計測地点について、主波長および副波長の吸光度を求める(ステップＳ１０１)。ここでは、計測地点地点Po１〜Po１４が検出されたものとする。
【００４６】
ＣＰＵ２３は、副波長の吸光度に基づいて、開始する計測地点および終了する計測地点を決定する(ステップＳ１０２）。計測された値から吸光度を求めるのは従来と同様であるので説明は省略する。開始計測地点および終了計測地点の検出手法は、以下のように行えばよい。副波長による吸光度については、計測地点が進むにつれて、吸光度が上限値から減り、変動はするもののやがて受光量が上限値となる。かかる上限値からつぎに上限値となる計測地点を抽出し、それぞれ、開始計測地点および終了計測地点とすればよい。
【００４７】
ＣＰＵ２３は、中央地点を決定する(ステップＳ１０３)。前記開始計測地点および終了計測地点の真ん中とを中央地点として決定すればよい。ここでは、図８に示す地点po８が中央地点として決定されたものとする。
【００４８】
ＣＰＵ２３は、中央地点po８の中心として所定数離れた地点までを候補計測地点とする(図９ステップＳ１０４)。本実施形態においては、かかる所定数を「４」としたので、計測地点po４〜po１２が候補計測地点となる。
【００４９】
図１０に、サンプルNo１〜４について、反応後３００秒後における９つの計測地点po４〜po１２における主波長と副波長とによる吸光度の計測結果を示す。図１１は、これをグラフにしたものである。このように９つの計測地点のうちいくつかの計測地点では、主波長と副波長の傾向がほぼ逆方向になっている。たとえば、図１１Ａにおいて、地点po５〜po８について、主波長は吸光度が小さくなり、副波長は吸光度が大きくなっている。他の図１１Ｂ，Ｃについてもほぼ同様である。
【００５０】
かかる主波長と副波長における吸光度の傾向の差異について、発明は以下のように考えた。本実施形態における反応室は、図１２Ａに示すように、反応室２０７の直径が小さく（p3=1.6ｍｍ）に加え、反応室の厚さtが0.15ｍｍ程度と薄い。したがって、小さな気泡１２２だけでなく、厚み方向に渡って存在するような大きな気泡１２１が発生する可能性がある。かかる大きな気泡１２１，小さな気泡１２２による吸光度の計測誤差については、計測対象の色素に吸収される中心波長の光（主波長の光）とそうでない波長の光(副波長の光)では、傾向が異なる。
【００５１】
まず、副波長の光は、その色素に対して非計測対象用の光であるので、色素の影響を受けない。すなわち、当該色素では光の減衰はおきないので、理論上は吸光度はそもそもゼロとなるはずである。ただ、小さな気泡があれば、気泡で反射される光が増えて、結果的に通過する光が減る。そのため、小さな気泡分だけの領域があれば、それは、気泡による吸光度の変動値となる。これに対して、大きな気泡の部分は、気泡の内側界面による光の反射が起こり、結果的に透過する光量が減少し、これにより吸光度が上昇する。
【００５２】
主波長の光についても、これらと同様の現象は生じる。すなわち、小さな気泡があれば、気泡で反射される光が増えて、結果的に通過する光が減る。ただ、主波長の光については、大きな気泡の部分では、さらに気泡の内側界面による光の反射が起きる。ここで、主波長は、その色素に対して計測対象用の光であるので、気泡以外の部分であれば、色素の影響を受け、かなりの量が吸光される。しかし、気泡１２１のような大きな気泡の部分では色抜けと同じ状態となり、かなりの量の光が透過する。かかる色抜けによる増加分は、界面における反射の程度よりもかなり大きく、実質上大きな気泡の部分における内側界面による光の反射は吸収されてしまう。これにより、主波長と副波長の傾向は逆になる。
【００５３】
ＣＰＵ２３は、副波長が所定の閾値を越える計測地点を計測候補から除外する(図９ステップＳ１０５)。この場合、閾値は「０．１２」が記憶されているので、ＣＰＵ２３は、サンプルNo１であれば、これよりも大きな値を有する計測地点po５〜po８を除外する。
【００５４】
ＣＰＵ２３は、残った候補についての主波長、副波長の平均値を求める(図９ステップＳ１０６）。この場合、サンプルNo１であれば、計測地点po４、po９〜po１２が残った候補なので、これらの地点における主波長の吸光度「０．５２９３」，「０．５３１８」、「０．５２７５」、「０．５２１６」、「０．５２３５」から、平均値「０．５２６７」を得る。副波長についても同様にして、「０．０６９８」を取得する。
【００５５】
ＣＰＵ２３は、ステップＳ１０６で得られた主波長の吸光度の平均値から副波長の吸光度の平均値を減算する(ステップＳ１０７)。かかる副波長の吸光度の平均値は、既に述べたように小さな気泡による変動値であり、これは主波長についても同じ値だけ、上記変動値が存在するからである。
【００５６】
このように、副波長の計測結果により大きな気泡の存在位置を推測し、かかる大きな気泡が存在する位置以外の計測地点の計測結果から、その反応室における試薬の吸光度を求める。また、その際、大きな気泡が存在する位置以外の計測地点の副波長の計測結果は、小さな気泡による影響であるので、その分だけ減算した。これにより、大きな気泡が存在しない計測地点のデータを用いて、かつ、小さな気泡による反射誤差を除去できるので、より正確な吸光度を求めることができる。
【００５７】
図１３に補正前後の吸光度の差異を示す。このように、図９ステップＳ１０５の処理により、色抜けの部分を排除して平均を求めてことができる。
【００５８】
図１４に、Ｘ軸に反応時間、Ｙ軸に吸光度の変化量を示した反応タイムコースを示す。実線で示したグラフが補正後で、波線で示したグラフが補正前の反応タイムコースである。このように、補正後は時間の経過とともに好ましい値が得られている。
【００５９】
これは、反応室に試料が導入されると、試料中の特定成分が反応し、その結果として発色剤が呈色する。かかる反応は徐々に進むことになり、時間経過に従って吸光度が増加するからである。
【００６０】
なお、補正前において、吸光度が急激に変化したのは「大きな気泡」によるものであると考えられるが、これは、この時点で発生したものではなく、大きな気泡がスキャン軸上に移動したものと考えられる。
【００６１】
なお、主波長の計測値について、値が大きく変動している地点の計測値を除くことにより、本件発明と同様の効果を得られる場合もある。たとえば、色素のばらつきが無い場合である。これに対して、本実施形態のように，副波長が所定の吸光度以上の計測地点によって、大きな気泡であると判断することにより、以下のようなメリットがある。本実施形態において計測対象としたトリグリセリドと異なり、グルコースなどは発色ムラが発生する。このような発色ムラがあるような試薬の場合、複数の計測結果の平均値を求めることにより、吸光度を演算する。したがって、主波長の値が大きく変動している地点を計測対象から除外すると、このような発色ムラがある場合には、対応ができない。本実施形態のように副波長によって計測地点とするか否かを決定する方式を採用した場合、大きな気泡である部分のみを取り除いて、吸光度を判断することができる。なぜなら、副波長は発色ムラに対しては計測結果が変わらないからである。図１５にグルコースの計測結果を示す。このように，副波長を用いることにより、主波長には特異な吸光度による変動が出ない場合にも、大きな気泡であっても対応することができる。
【００６２】
本実施形態においては、移動(走査）を止めることなく、発光をさせている。しかし、これに限定されず、計測地点に移動後、一旦停止させ、主波長および副波長を発光させてから、移動させるように制御してもよい。この場合、主波長と副波長でズレの問題はなくなる。かかる制御は制御プログラムをハードディスク２６に記憶しておき、ＣＰＵ２３によって制御させればよい。
【００６３】
本実施形態においては、１の反応室について説明したが、複数の反応室についてもこれを繰り返すことにより、同様に吸光度を演算することができる。
【００６４】
なお、本実施形態においては、ＬＥＤ９１とＬＥＤ９２との発光タイミングのずれの分だけ、計測地点がずれる場合について説明したが、走査速度と発光タイミングのズレ時間から、ずれる距離を演算して、その分だけ配置間隔を調整してもよい。
【００６５】
また、本実施形態においては、図６に示すように走査軸１４１に主波長と副波長のＬＥＤの中心がずれないで配置されている場合について説明した。しかし、これに限定されず、中心がずれても実質上走査軸上に２つのＬＥＤが配置されているようにしてもよい。かかるズレの程度は、以下の値まで許容される。
【００６６】
本件発明は、試薬反応室に大きな気泡が存在した場合に、色抜けの問題が起きるので、かかる大きな気泡による悪影響を防止しようとするものである。このような色抜けを生じさせる気泡は、前記試薬反応室における厚み(深さ方向）またはそれ以上の大きさにて存在する。かかる気泡を光軸方向でみた場合、直径が前記厚みｔ以上となる。このような直径の気泡を検出できればよいのであるから、図１６に示すように、走査軸におけるズレp30は許容される。
【００６７】
また、本実施形態においては、前記試薬反応室における厚み(深さ方向）またはそれ以上の大きさが試薬反応室に存在する場合について説明したが、完全に厚み方向に渡っていなくても、すなわち、厚みよりもやや小さな気泡でも色抜けがおこる場合には同様に、これを排除できる。
【００６８】
また、本実施形態においては、主波長と副波長のＬＥＤを６３０ｎｍ，８１０ｎｍとした場合について説明した。しかし、これに限定されるわけではない。試薬によって検出する中心波長が異なるので、別の試薬の吸光度を検出する場合には、主波長と副波長が逆転する場合、さらに、別の波長のＬＥＤを用いる場合などがある。
【００６９】
なお、３つのＬＥＤを用いている場合、本実施形態と同様に、当該ＬＥＤを３つ走査軸上に並べて配置するようにすればよい。
【００７０】
また、本実施形態においては、計測器４１を走査させる場合について説明したが、これに限定されず、例えば、光ファイバーなどで複数箇所について光を照射し、これを、受光部で受光するようにしてもよい。
【００７１】
なお、計測は端末で行い、これをサーバに転送して、補正処理はセンターコンピュータで行うようにしてもよい。
【００７２】
本実施形態においては、吸光度を計測する場合について説明したが、透過光に基づいて光学特性を計測する場合についても、同様に適用することができる。その場合、副波長で計測した値が所定値以上の計測地点を候補から除外するようにすればよい。また、大きな気泡が発生しているのであれば、計測時には液状物でなくてもよい。
【００７３】
上記実施形態においては、各機能を実現する為に、ＣＰＵを用い、ソフトウェアによってこれを実現している。しかし、その一部若しくは全てを、ロジック回路等のハードウェアによって実現してもよい。
【００７４】
なお、上記プログラムの一部の処理をオペレーティングシステム（ＯＳ）にさせるようにしてもよい。
【図１】
2010276443.tif 000003
【図２】
2010276443.tif 000004
【図３】
2010276443.tif 000005
【図４】
2010276443.tif 000006
【図５】
2010276443.tif 000007
【図６】
2010276443.tif 000008
【図７】
2010276443.tif 000009
【図８】
2010276443.tif 000010
【図９】
2010276443.tif 000011
【図１０】
2010276443.tif 000012
【図１１】
2010276443.tif 000013
【図１２】
2010276443.tif 000014
【図１３】
2010276443.tif 000015
【図１４】
2010276443.tif 000016
【図１５】
2010276443.tif 000017
【図１６】
2010276443.tif 000018